(57)【要約】      （修正有）【課題】ブレードの大きさや数について、水流の限界による制限がなくなり、極めて小さなブレードであってもきわめて良く回る魚釣用ルアーを提供する。【解決手段】ラインアイ９を支持するための支持棒にあたる、ラインアイ用アーム１を設け、Ｔ字型のスピナーベイトとする。Ｔ字の上の横棒の一方の端をラインアイ９、別の端をフックアイ８としてその近傍にウエイト７を配置する。Ｔ字の縦棒の上にスイベル５を介して回転ブレード４を配置する。こうすることでリトリーブ時の水中での姿勢は、回転ブレードがはいちされたワイヤーが斜めとなり、前方から見たときに回転ブレードが重なることがなくなり、後方の回転ブレードにあたる水流が阻害されることがなくなる。【選択図】図１
0003186333.tif 000002
【実用新案登録請求の範囲】
【請求項１】
一つの交点から三方向にワイヤーを伸ばし、一方向のワイヤーの末端をリング状のラインアイとし、別の方向のワイヤーの末端をフックアイとしフックアイの近傍にウエイトを配置し、さらに別の三つ目の方向のワイヤー上にスイベルを介して複数の回転ブレードを配置したルアー。
【請求項２】
ワイヤーをおよそＴ字型の形状とし、Ｔ字の上の横棒の一方の端をラインアイとし、もう一方の端をフックアイとしフックアイの近傍のワイヤー上にウエイトを配置し、Ｔ字の縦棒にあたる部分のワイヤー上にスイベルを介して複数の回転ブレードを配置した請求項１に記載のルアー。
【考案の詳細な説明】
【技術分野】
【０００１】  本考案は釣り具のルアーの一種であり、ワイヤー上にウエイトや回転ブレードを配置する構成はスピナーベイトと共通である。
【背景技術】
【０００２】  スピナーベイトの構造と特性を背景技術とする。
【考案の概要】
【考案が解決しようとする課題】
【０００３】  従来のスピナーベイトで複数の回転ブレードを有するものは、ワイヤーの末端にスイベルを介して回転ブレードを配置し、別の回転ブレードは同一のワイヤー上にクレビスを介して配置される。結果としてリトリーブ時の水中での姿勢は、回転ブレードが配置されたワイヤーはおよそ水平となり、二つのブレードは進行方向から見た時に重なる位置関係となり、後方のブレードにあたる水流は前方のブレードで阻害され、回転を確保するためには後方のブレードは大型のものとせざるを得なかった。また、ブレードの数もクレビスを介するブレードは１個が通常であり、それ以上となると回転が鈍くなる傾向がある。ブレードを小さくして回転を確保することは従来の形状では困難であり、回転の勢いを阻害することなくブレードの数を増やすことも困難であった。本考案においては、ブレードの大きさと数によらず回転が阻害されない機能をシンプルな形状で実現することを課題とする。
【課題を解決するための手段】
【０００４】  従来のスピナーベイトはワイヤーフレームがくの字型であったのに対して、本考案においてはＴ字型とする。Ｔ字の上の横棒の一方の端をラインアイとし、別の端をフックアイとしてその近傍にウエイトを配置する。Ｔ字の縦棒の上におよそ等間隔でスイベルを介して回転ブレードを配置する。こうすることでリトリーブ時の水中での姿勢は、回転ブレードが配置されたワイヤーが斜めとなり、前方から見たときに回転ブレードが重なることがなくなり、後方の回転ブレードにあたる水流が阻害されることがなくなる。
すなわち、ラインアイを支持するための支持棒にあたる部分のワイヤーを設けることで課題を解決する。
【考案の効果】
【０００５】  すべての回転ブレードに水流があたることにより、ブレードはより良く回り、またブレードの大きさや数も水流の限界による制限がなくなる。極めて小さなブレードであってもきわめて良く回る。実際に今まで多数の回転ブレードを持つスピナーベイトで回転が良好なものを作ることは困難であった。本考案により、ブレードの大きさも数も自在となる。
比較的コンパクトなサイズでブレードの回転が良好でアピール力も高いルアーの実現が可能となり、多くの魚種やサイズの魚がより良く釣れるようになる。
【図面の簡単な説明】
【０００６】
【図１】  本考案の側面図
【考案を実施するための形態】
【０００７】  ワイヤーをおよそＴ字型の形状とする。Ｔ字の上の横棒の一端をループ状にしてラインアイ９とする。Ｔ字の横棒の反対の一端をループ状にしてフックアイ８としその近傍にウエイト７を配置する。Ｔ字の縦棒上にスイベル５を介して複数の回転ブレード４を配置する。Ｔ字の横棒と縦棒の長さはおよそ同じくらいか、横棒が若干短い程度がバランスが良い。Ｔ字の縦棒にあたる部分のワイヤーをブレード用アーム３、Ｔ字の横棒の片側半分をラインアイ用アーム１、Ｔ字の横棒の反対側の半分をフックウエイト用アーム２と呼ぶことにすると、ラインアイ用アーム１はブレード用アーム３の半分程度の長さか、それより若干短い程度がバランスが良い。ラインアイ用アーム１が短かすぎると、リトリーブ時にブレード用アーム３が水平に近い状態となりブレードどうしが接触して回転を阻害することとなる。逆にラインアイ用アーム１が長過ぎるとブレード用アーム３は垂直に近い状態となり水中での姿勢が安定しないと同時にブレードが縦にならぶことでやはり接触しやすくなる。また、ラインアイ用アーム１とフックウエイト用アーム２はおよそ直線状であることが強度的には最良であるが、ブレードとフック、あるいはブレードとウエイトが接触するような場合には、フックウエイト用アーム２をブレード用アームから遠ざける側に曲げる。フックウエイト用アーム２の長さについては、ラインアイ用アーム１と同程度にすることがバランスが良いが、ウエイトが重い場合などについては短くても大丈夫であり、極端な形状としてはブレード用アーム３とラインアイ用アーム１の交点付近にウエイトおよびフックを配置することで、フックウエイト用アーム２は不要ともなる。その場合、ウエイトが軽い場合にはルアーの挙動が不安定となる傾向があるので、やはりフックウエイト用アーム２はあったほうが良い。フックウエイト用アーム２の長さの分だけ重心を下にすることでルアーの挙動は安定する。
ラインアイ９と回転ブレード４とウエイト７の位置関係で水中での姿勢が決まるものであって、その間をつなぐワイヤーの形状については自由度が高いのであるが、Ｔ字型がシンプルであり強度的にも良好である。また、３本のアームは一つながりのワイヤーで形成することが可能であり、そうすることが強度的にも製作の容易さにおいても良い。
回転ブレード４の数については原理的にはいくらでも増やせる。本考案の特性を活かした形態として小さめの回転ブレード４をたくさん並べるなどの形態がある。
【実施例】
【０００８】  図１に示す。ワイヤーをおよそＴ字型の形状として、Ｔ字の上の横棒の一端をループ状にしてラインアイ９とし、反対の一端をフックアイ８とする。フックアイ８の手前のワイヤー上にウエイト７を配置する。Ｔ字の縦棒にスイベル５を介して回転ブレード４を配置する。ストッパー６によりスイベル５の位置を制限する。ワイヤーを通したスイベルのリングの上下にビーズなどをベアリング用に配置するとスイベルとワイヤーとの絡まり防止に効果がある。ワイヤーの曲げ方や形状については自由度が高いのであるが、図１に示すような形状とワイヤーの曲げ方がシンプルで強度的にも良い。すなわち、１本の真直ぐなワイヤーをラインアイ９のところでループを作ると同時に２本が合わさる形で曲げて、２本のうちの片方は真直ぐなままにしてその末端をフックアイ８として、もう１本はラインアイ９とフックアイ８の中間付近でおよそ直角に曲げてブレード用アーム３とする。【０００９】  フックアイ８を設ける代りにフックとウエイトを一体化した形状とする。【００１０】  リボンないしゴム紐を束ねた形状のスカートをウエイト部に設ける。スピナーベイトで広く用いられているものであり、この場合はフックとウエイトを一体化することでフックとスカートの絡まりのトラブルを防止できる。【００１１】  ブレード用アーム３を二又に分けておよそＶ字型の形状とする。より多くのブレードを配置することが可能となる。さらにＶ字の両端をワイヤーで結んで三角形を形成することでさらに多くのブレードを配置することが可能となる。【００１２】  回転ブレードの数と大きさ、およびその組み合わせにつていは制限はないのであるが、大型のブレードの間に小さなブレードを挟むなどの配置とすることで、比較的コンパクトな形状の中に多数のブレードを配置することができる。その場合さらにスイベルの長さを調節することでブレードどうしの接触を回避できる。
【産業上の利用可能性】
【００１３】  水流による回転を利用するという観点から、発電などに用いる回転の動力源としての利用可能性が考えられる。
【符号の説明】
【００１４】１  ラインアイ用アーム
２  フックウエイト用アーム
３  ブレード用アーム
４  回転ブレード
５  スイベル
６  ストッパー
７  ウエイト
８  フックアイ
９  ラインアイ
【図１】
0003186333.tif 000003